(57)【要約】      （修正有）【課題】ソフトウェアキーに沿って物理キーを配設することにより、ソフトウェアキーを押下できているか否かの判断を容易にする電子機器用の取付け容器を提供する。【解決手段】電子機器の筐体の縁を覆う電子機器用の取付け容器１は、電子機器が有するタッチスクリーンの縁に沿って並ぶソフトウェアキーに被さる位置に配置される複数の物理キーＰＫ１１〜ＰＫ２０部材を含む。【選択図】図１
2018045650.tif 000002
【特許請求の範囲】
【請求項１】
電子機器の筐体の縁を覆う電子機器用の取付け容器であって、
前記電子機器が有するタッチスクリーンの縁に沿って並ぶソフトウェアキーに被さる位置に配置される複数の物理キー部材を含む電子機器用の取付け容器。
【請求項２】
電子機器の筐体の縁を覆う電子機器用の取付け容器であって、
前記電子機器が有するタッチスクリーンの縁に沿って並ぶソフトウェアキーに隣接した位置に配置される複数の物理キー部材を含む電子機器用の取付け容器。
【発明の詳細な説明】
【技術分野】
【０００１】
本出願は、電子機器用の取付け容器に関する。
【背景技術】
【０００２】
電子機器には、物理キー及びタッチスクリーンなどを搭載したものがある。例えば、特許文献１には、物理キー及びタッチスクリーンを介して検出した操作に応じて各種の機能を実行する電子機器が開示されている。
【先行技術文献】
【特許文献】
【０００３】
【特許文献１】国際公開第２００８／０８６３０２号
【発明の概要】
【発明が解決しようとする課題】
【０００４】
従来の電子機器において、タッチスクリーンディスプレイに表示されるソフトウェアキーは、利用者にとって、所望のキーを押下できているか否かの判断が難しいという面がある。
【課題を解決するための手段】
【０００５】
１つの態様に係る電子機器用の取付け容器は、電子機器の筐体の縁を覆う電子機器用の取付け容器である。当該取付け容器は、前記電子機器が有するタッチスクリーンの縁に沿って並ぶソフトウェアキーに被さる位置に配置される複数の物理キー部材を含む。
【０００６】
１つの態様に係る電子機器用の取付け容器は、電子機器の筐体の縁を覆う電子機器用の取付け容器である。当該取付け容器は、前記電子機器が有するタッチスクリーンの縁に沿って並ぶソフトウェアキーに隣接した位置に配置される複数の物理キー部材を含む。
【図面の簡単な説明】
【０００７】
【図１】図１は、実施形態に係る取付け容器の各面の外観を示す図である。
【図２】図２は、実施形態に係る取付け容器の各面の外観を示す図である。
【図３】図３は、実施形態に係る取付け容器を電子機器に装着したときの外観を示す図である。
【図４】図４は、実施形態に係る取付け容器を電子機器に装着したときの外観を示す図である。
【図５】図５は、実施形態に係る取付け容器の断面図である。
【図６】図６は、実施形態に係る導電性シートの例を示す図である。
【図７】図７は、実施形態に係る取付け容器の機能構成を含む概念的な構成の一例を示すブロック図である。
【図８】図８は、実施形態に係る取付け容器の処理の一例を示すフローチャートである。
【図９】図９は、実施形態に係る取付け容器が有するキーシート部の他の構成例を示す図である。
【図１０】図１０は、実施形態に係る取付け容器が有するキーシート部の他の構成例を示す図である。
【図１１】図１１は、実施形態に係る取付け容器が有するキーシート部に含まれる物理キーの他の構成例を示す図である。
【図１２】図１２は、実施形態に係る取付け容器が有するキーシート部のキー構造の他の例を示す図である。
【図１３】図１３は、実施形態に係る取付け容器が取り得る形状の他の例を示す図である。
【図１４】図１４は、実施形態に係る取付け容器が取り得る形状の他の例を示す図である。
【図１５】図１５は、実施形態に係る取付け容器が取り得る形状の他の例を示す図である。
【図１６】図１６は、実施形態に係る取付け容器が取り得る形状の他の例を示す図である。
【図１７】図１７は、実施形態に係る取付け容器とは異なる構想に基づく取付け容器の形状の一例を示す図である。
【図１８】図１８は、実施形態に係る取付け容器とは異なる構想に基づく取付け容器の形状の一例を示す図である。
【図１９】図１９は、実施形態に係る取付け容器とは異なる構想に基づく取付け容器の形状の一例を示す図である。
【図２０】図２０は、実施形態に係る取付け容器とは異なる構想に基づく取付け容器の形状の一例を示す図である。
【図２１】図２１は、実施形態に係る取付け容器が有するキーシート部の他の構成例を示す図である。
【発明を実施するための形態】
【０００８】
本出願に係る複数の実施形態を、図面を参照しつつ詳細に説明する。
【０００９】
図１から図４を用いて、実施形態に係る取付け容器１の外観構成の一例を説明する。図１及び図２は、実施形態に係る取付け容器の各面の外観を示す図である。図３及び図４は、実施形態に係る取付け容器を電子機器に装着したときの外観を示す図である。
【００１０】
実施形態に係る取付け容器１は、ボディ部１３ａと、キーシート部１３ｂとを含んで構成される。図１では、取付け容器１の外観として、キーシート部１３ｂをｚ軸方向から見たときの正面図１ＥＶ、ボディ部１３ａをｙ軸方向から見たときの平面図１ＴＶ及び底面図１ＢＶ、及びボディ部１３ａをｘ軸方向から見たときの右側面図１ＲＶ及び左側面図１ＬＶを示している。図２では、取付け容器１の外観として、ボディ部１３ａをｚ軸方向から見たときの背面図１ＲＶを示している。
【００１１】
図１に示すキーシート部１３ｂは、利用者からの操作を受け付ける複数の物理キーＰＫ１〜ＰＫ２０を含む。図１に示すように、物理キーＰＫ１〜ＰＫ１０と、物理キーＰＫ１１〜ＰＫ２０は、それぞれがｙ軸に平行な方向に１列に配置されたキー配置を形成する。
【００１２】
図３に示す正面図１ＥＶＸ、平面図１ＴＶＸ、底面図１ＢＶＸ、右側面図１ＲＶＸ、左側面図１ＬＶＸ、及び図４に示す背面図１ＲＶＸのように、取付け容器１は、電子機器１００に隙間なく装着される。取付け容器１は、電子機器１の筐体の縁を覆っている。図３に示すように、電子機器１００に装着された取付け容器１が有する物理キーＰＫ１〜ＰＫ１０は、電子機器１００が有するタッチスクリーンＴＳ１の縁に沿って並ぶソフトウェアキーＳＫ１に被さる位置に配置される。また、図３に示すように、電子機器１００に装着された取付け容器１が有する物理キーＰＫ１１〜ＰＫ２０は、電子機器１００が有するタッチスクリーンＴＳ１の縁に沿って並ぶソフトウェアキーＳＫ２に被さる位置に配置される。具体的には、例えば、キーシート部１３ｂの物理キーＰＫ１と、文字入力画面ＳＣ１上のソフトウェアキー「あ」のように、キーシート部１３ｂに含まれる複数の物理キーのそれぞれが、タッチスクリーンＴＳ１に表示される文字入力画面ＳＣ１に含まれる複数のソフトウェアキーのいずれか１つのキーと、重複することなく隣り合うような状態で配置される。
【００１３】
図５は、実施形態に係る取付け容器の断面図である。図５に示す断面図ＣＶ１は、図５に示すＡ１−Ａ２線でｚ軸方向に平行な方向に向かって鉛直に切断したときの断面を示す。取付け容器１は、キーシート部１３ｂの下に、導電性シートを積層して構成される。図５に示す例では、導電性シートを構成するメタルドーム３１ａと、絶縁部３１ｂとが示されている。図６は、実施形態に係る導電性シートの例を示す図である。図６に示すように、導電性シート３０には、キーシート部１３ｂに含まれる複数の物理キーのそれぞれに対応する導電部３１が形成される。導電部３１は、メタルドーム３１ａと、絶縁部３１ｂと、導線３１ｃとで構成される。
【００１４】
図７は、実施形態に係る取付け容器の機能構成を含む概念的な構成の一例を示すブロック図である。以下の説明において、重複する説明は省略することがある。
【００１５】
図７に示すように、取付け容器１は、装着検知ユニット１１と、通信ユニット１２と、ボディ部１３ａと、キーシート部１３ｂと、メモリ１４と、コントローラ１５とを含む。
【００１６】
装着検知ユニット１１は、取付け容器１が電子機器１００に装着されたことを検知する。装着検知ユニット１１は、取付け容器１が電子機器１００に装着されることにより導通して信号がコントローラ１５に送出される簡易な物理機構を備えて構成されてもよい。あるいは、装着検知ユニット１１は、電子機器１００から発せられる電磁波或いは電波を検知する機能を備えて構成されてもよい。このとき、コントローラ１５は、装着検知ユニット１１が検知した電磁波或いは電波の強度に基づいて、取付け容器１が電子機器１００に装着されたかを判定する。
【００１７】
通信ユニット１２は、取付け容器１が装着された電子機器１００との間で通信を行う。通信ユニット１２は、例えば、近距離無線通信により、電子機器１００との間で通信を実行する。通信ユニット１２は、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等の近距離無線の通信規格をサポートしてよい。
【００１８】
ボディ部１３ａ及びキーシート部１３ｂは、図３及び図４に示すように、取付け容器１が電子機器１００に装着されたときに、電子機器１００の少なくとも一部を覆う構造体である。
【００１９】
メモリ１４は、プログラム及びデータを記憶する。メモリ１４は、コントローラ１５の処理結果を一時的に記憶する作業領域として利用されてもよい。メモリ１４は、半導体記憶媒体、及び磁気記憶媒体等の任意の非一過的（ｎｏｎ−ｔｒａｎｓｉｔｏｒｙ）な記憶媒体を含んでよい。メモリ１４は、複数の種類の記憶媒体を含んでよい。メモリ１４は、メモリカード、光ディスク、又は光磁気ディスク等の記憶媒体と、記憶媒体の読み取り装置との組み合わせを含んでよい。メモリ１４は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２０】
開示の実施形態において、メモリ１４は、図７に示すように、制御プログラム１４ａ、ＩＤデータ１４ｂ、及びキーデータ１４ｃを記憶できる。
【００２１】
制御プログラム１４ａは、取付け容器１が装着された電子機器１００との間で、無線接続を確立する機能を提供できる。制御プログラム１４ａは、電子機器１００との間で、各種情報のやり取りに関する通信を実行する機能を提供できる。例えば、制御プログラム１４ａは、電子機器１００からアプリケーション実行の通知を受信した場合、取付け容器１から通知された情報を電子機器１００に通知する。例えば、制御プログラム１４ａは、電子機器１００に対して、利用者に操作された物理キーに関する情報を通知する。具体的には、制御プログラム１４ａは、例えば、物理キーＰＫ１の操作入力を検出すると、物理キーＰＫ１に対応するキーデータを、メモリ１４に記憶されているキーデータ１４ｃから取得し、取得したキーデータを電子機器１００に通知する。
【００２２】
ＩＤデータ１４ｂは、取付け容器１から通知された情報である。なお、取付け容器１から通知された情報とは、取付け容器１に関する情報であって、例えば、取付け容器１の製品ＩＤ、取付け容器１の物理キーの大きさや位置を示す形状ＩＤである。ＩＤデータ１４ｂは、取付け容器１の形状等によって、物理キーの数や位置が異なるために用いる。キーデータ１４ｃは、キーシート部１３ｂに含まれる物理キーを特定する情報である。ＩＤデータ１４ｂ及びキーデータ１４ｃは、電子機器１００が認識可能なデータである。
【００２３】
コントローラ１５は、制御プログラム１４ａを実行することにより、取付け容器１が装着された電子機器１００との間で、無線接続を確立する処理を実現できる。コントローラ１５、制御プログラム１４ａを実行することにより、電子機器１００との間で、各種情報のやり取りに関する通信を実行する処理を実現できる。
【００２４】
実施形態の一例では、取付け容器１が装着される電子機器１００に対して、取付け容器１から通知される情報の解釈を可能とする取付け容器１を利用した文字入力用のアプリケーション、プログラム及びデータが予め記憶される。電子機器１００は、取付け容器１から通知される情報の解釈を可能とするアプリケーション、プログラム及びデータに基づいて、取付け容器１から通知される情報に応じた処理を実現する。
【００２５】
電子機器１００が実現する処理には、取付け容器１から通知された情報に対応する文字入力画面ＳＣ１をタッチスクリーンＴＳ１に表示することが含まれる。取付け容器１から通知された情報に対応する文字入力画面ＳＣ１は、キーシート部１３ｂに含まれる複数の物理キーのそれぞれが、文字入力画面ＳＣ１に含まれる複数のソフトウェアキーのいずれか１つのキーと、重複することなく隣り合うように予め設計された画面構成を有する。
【００２６】
また、電子機器１００が実現する処理には、取付け容器１から通知された物理キーに関する情報に基づいて、文字の読み上げ音声の出力（文字選択）及び文字入力などが含まれる。例えば、電子機器１００は、取付け容器１から物理キーＰＫ１の操作があった旨の通知を受信すると、タッチスクリーンＴＳ１上で物理キーＰＫ１に隣り合う位置に表示されるソフトウェアキー「あ」の読み上げ音声の出力、及び「あ」の入力などの処理を実現できる。
【００２７】
以上説明した通り、電子機器１００は、取付け容器１の物理キーの大きさや位置に合わせたソフトウェアキーを画面に表示する。これにより、ユーザは、取付け容器１の物理キーを操作しやすくなる。また、ユーザは、色々な形状の取付け容器１を扱うことができる。
【００２８】
図８を用いて、実施形態に取付け容器１の処理の一例を説明する。図８は、実施形態に係る取付け容器の処理の一例を示すフローチャートである。図８に示す処理は、取付け容器１のコントローラ１５が、制御プログラム１４ａを実行することにより実現される。ここでは、取付け容器１から通された情報が製品ＩＤであるものとして説明する。
【００２９】
図８に示すように、取付け容器１は、電子機器に装着されているかを判定する（ステップＳ１０１）。
【００３０】
取付け容器１は、判定の結果、電子機器に装着されている場合（ステップＳ１０１，Ｙｅｓ）、電子機器からアプリケーション実行の通知を受信したかを判定する（ステップＳ１０２）。
【００３１】
取付け容器１は、判定の結果、電子機器からアプリケーション実行の通知を受信した場合（ステップＳ１０２，Ｙｅｓ）、製品ＩＤを電子機器に送信する（ステップＳ１０３）。
【００３２】
製品ＩＤの送信後、取付け容器１は、物理キーの押下を検出したかを判定する（ステップＳ１０４）。
【００３３】
取付け容器１は、判定の結果、物理キーの押下を検出した場合（ステップＳ１０４，Ｙｅｓ）、押下を検出した物理キーのキーデータを電子機器に送信する（ステップＳ１０５）。
【００３４】
キーデータの送信後、取付け容器１は、電子機器からアプリケーション終了の通知を受信したかを判定する（ステップＳ１０６）。
【００３５】
取付け容器１は、判定の結果、電子機器からアプリケーション終了の通知を受信していない場合（ステップＳ１０６，Ｎｏ）、上記ステップＳ１０４の判定に戻る。
【００３６】
一方、取付け容器１は、判定の結果、電子機器からアプリケーション終了の通知を受信した場合（ステップＳ１０６，Ｙｅｓ）、図８に示す処理を終了する。
【００３７】
上記ステップＳ１０４において、取付け容器１は、判定の結果、物理キーの押下を検出しない場合（ステップＳ１０４，Ｎｏ）、上記ステップＳ１０６の判定に移る。
【００３８】
上記ステップＳ１０２において、取付け容器１は、判定の結果、電子機器からアプリケーション実行の通知を受信しない場合（ステップＳ１０２，Ｎｏ）、上記ステップＳ１０１の判定に戻る。
【００３９】
上記ステップＳ１０１において、取付け容器１は、判定の結果、電子機器に装着されていない場合（ステップＳ１０１，Ｎｏ）、図８に示す処理を終了する。
【００４０】
上記の実施形態では、取付け容器１が、電子機器１００に対して、利用者に操作された物理キーに関する情報を通知することにより、電子機器１００のタッチスクリーンＴＳ１上で物理キーに隣り合う位置に表示されるソフトウェアキーを、物理キーを介して間接的に操作することにより、ソフトウェアキーの操作を容易にできる。
【００４１】
また、図３に示すように、取付け容器１が有する物理キーＰＫ１〜ＰＫ１０は、電子機器１００が有するタッチスクリーンＴＳ１の縁に沿って並ぶソフトウェアキーＳＫ１に被さる位置に配置されるので、利用者は、物理キーの位置を頼りどころにして、ソフトウェアキーを操作できる。この場合、ソフトウェアキーに対する操作を、全て物理キーを介して実行するのではなく、ソフトウェアキーを操作することにより入力する文字の選択を行い、ソフトウェアキーに隣接している物理キーの押下で文字入力を確定させるというように、タッチスクリーン上のソフトウェアキーに対する操作と、キーシート部１３ｂの物理キーに対する操作の役割を分けることもできる。
【００４２】
また、取付け容器１のキーシート部１３ｂに含まれる複数の物理キーを、物理キーまたはソフトウェアキーのいずれか一方を操作しようとした場合に、物理キー及びソフトウェアキーに同時に接触せざるを得ない大きさで予め構成することにより、ソフトウェアキーの操作を容易にすることもできる。この場合、ソフトウェアキーに対する操作は、電子機器１００のタッチスクリーンＴＳ１に対して直接実行される。このため、物理キーは、ソフトウェアキーを操作するための補助としてのみ機能することになり、取付け容器１に物理キーに関する情報を電子機器１００に通知するための機能を備える必要がない。
【００４３】
図９及び図１０は、実施形態に係る取付け容器が有するキーシート部の他の構成例を示す図である。図９に示すように、キーシート部１３ｂは、物理キーの間に空間５０Ａ〜５０Ｄを設けた構成でもよい。また、図１０に示すように、キーシート部１３ｂは、物理キーの間に間仕切り６０Ａ〜６０Ｄを設けた構成でもよい。
【００４４】
図１１は、実施形態に係る取付け容器が有するキーシート部に含まれる物理キーの他の構成例を示す図である。キーシート部１３ｂは、各物理キーの操作面（利用者が触れて操作する面）に点字パターンを表出させる６つの突起部を備えてもよい。例えば、図１１に示す例では、物理キーＰＫ１の操作面に点字パターンを表出させる６つの突起部７０Ａ〜７０Ｆを備えられる。突起部７０Ａ〜７０Ｆは、アクチュエーター等により表面に突出させること、及び内部に収納させることが可能な状態で設置される。物理キーは、点字を読み取る場合の一般的な横方向の指の動きに合わせて設置されてよい。６つの突起部７０Ａ〜７０Ｆは、例えば、利用者の操作により入力が確定した文字に合わせて突出してよい。利用者は、物理キーの表面に触れることで、入力された文字を確認できる。
【００４５】
図１２は、実施形態に係る取付け容器が有するキーシート部のキー構造の他の例を示す図である。図５及び図６では、キーシート部１３ｂの下に積層される導電性シート３０がメタルドーム３１ａを用いる場合のキー構造の例を示したが、図１２に示すタクトスイッチ８０を用いたキー構造であってもよい。
【００４６】
上記の図１から図４では、電子機器１００に装着された取付け容器１が有する物理キーが、電子機器１００が有するタッチスクリーンＴＳ１の縁に沿って並ぶソフトウェアキーに被さる位置に配置される例を説明したが、取付け容器１の形状は、この例に限定されない。以下、図１３から図１６を用いて、取付け容器が取り得る他の形状について説明する。図１３から図１６は、実施形態に係る取付け容器が取り得る形状の他の例を示す図である。図１３及び図１４に示すように、取付け容器２は、ボディ部２３ａと、複数の物理キーＰＫ１〜ＰＫ２０を備えるキーシート部２３ｂと有する。図１５及び図１６に示すように、取付け容器２は、電子機器２００に隙間なく装着される。取付け容器２は、電子機器２００の筐体の縁を覆っている。図１５に示すように、電子機器２００に装着された取付け容器２が有する物理キーＰＫ１〜ＰＫ１０は、電子機器２００が有するタッチスクリーンＴＳ２の縁に沿って並ぶソフトウェアキーＳＫ１に被さることなく、ソフトウェアキーＳＫ１に隣接した位置に配置される。また、図１５に示すように、電子機器２００に装着された取付け容器２が有する物理キーＰＫ１１〜ＰＫ２０は、電子機器２００が有するタッチスクリーンＴＳ２の縁に沿って並ぶソフトウェアキーＳＫ２に被さることなく、ソフトウェアキーＳＫ２に隣接した位置に配置される。
【００４７】
図１７〜図２０は、実施形態に係る取付け容器とは異なる構想に基づく取付け容器の形状の一例を示す図である。図１７及び図１８に示すように、取付け容器３は、ボディ部３３ａと、物理キー３３ｂと有する。図１９及び図２０に示すように、取付け容器３は、電子機器３００に隙間なく装着される。物理キー３３ｂは、利用者の操作を受け付ける。物理キー３３ｂは、血流センサ、血圧センサ、圧力センサなどの各種センサを内蔵してもよいし、センサ値の取得可能な範囲で近傍に搭載してもよい。
【００４８】
図１から図８に示す例では、取付け容器１が、電子機器１００に対して、利用者に操作された物理キーに関する情報を通知することにより、電子機器１００のタッチスクリーンＴＳ１上で物理キーに隣り合う位置に表示されるソフトウェアキーを、物理キーを介して間接的に操作することにより、ソフトウェアキーの操作を容易にする例について説明した。以下では、物理キーを導通素材で構成することにより、タッチスクリーン上に表示されるソフトウェアキーに被さる位置に配置される物理キーに対する利用者の操作を、タッチスクリーンが直接検出できるようにする例について説明する。図２１は、実施形態に係る取付け容器が有するキーシート部の他の構成例を示す図である。
【００４９】
図２１に示す正面図１ＥＶ＿Ｒは、正面図１ＥＶを、回転軸Ｐ１で１８０度回転させたときのキーシート部１３ｂの背面１３ｂ＿Ｒの状態を示す図である。キーシート部１３ｂの表面は、導電性の素材で形成される。キーシート部１３ｂの背面１３ｂ＿Ｒは、各物理キーの背面に導通部９０が設けられる。導通部９０は、絶縁部９０ａ及び導通凸部９０ｂを有する。図２１に示す断面図ＣＶ２は、キーシート部１３ｂをＢ１−Ｂ２線でＺ軸方向に平行な方向に向かって鉛直に切断したときの断面を示す図である。断面図ＣＶ２の導通部９０Ｅに示すように、例えば、利用者により物理キーが押下された場合（押し込む操作が行われた場合）には、導通凸部９０ｂがタッチスクリーンに接触することにより、利用者の操作がタッチスクリーンで直接検出される。これにより、利用者は、電子機器のタッチスクリーン上で物理キーに隣り合う位置に表示されるソフトウェアキーを、電子機器に装着された取付け容器１の物理キーを介して間接的に操作できる。利用者の操作は、電子機器のタッチスクリーンに直接検出されるので、利用者に操作された物理キーに関する情報を通知する必要もない。
【００５０】
また、上述した取付け容器１は、キーシート部１３ｂに形成された物理キーに対する利用者のタッチ操作を検出するタッチセンサを内蔵してもよい。これにより、取付け容器１は、物理キーに対する利用者のタッチ操作に応じた処理も実行できる。同様に、上述した取付け容器２も、キーシート部２３ｂに形成された物理キーに対する利用者のタッチ操作を検出するタッチセンサを内蔵できる。
【００５１】
本出願に係る取付け容器１が装着される電子機器１００は、タッチスクリーンを有する携帯型の電子機器であればよく、スマートフォン、モバイルフォン、タブレット、携帯型パソコン、メディアプレイヤ、電子書籍リーダ、ナビゲータ、ウエアラブルデバイス、又はゲーム機等の機器であってよい。
【００５２】
本明細書では、添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００５３】
１  取付け容器
１１  装着検知ユニット
１２  通信ユニット
１３ａ  ボディ部
１３ｂ  キーシート部
１４  メモリ
１５  コントローラ
１００  電子機器
【図１】
2018045650.tif 000003
【図２】
2018045650.tif 000004
【図３】
2018045650.tif 000005
【図４】
2018045650.tif 000006
【図５】
2018045650.tif 000007
【図６】
2018045650.tif 000008
【図７】
2018045650.tif 000009
【図８】
2018045650.tif 000010
【図９】
2018045650.tif 000011
【図１０】
2018045650.tif 000012
【図１１】
2018045650.tif 000013
【図１２】
2018045650.tif 000014
【図１３】
2018045650.tif 000015
【図１４】
2018045650.tif 000016
【図１５】
2018045650.tif 000017
【図１６】
2018045650.tif 000018
【図１７】
2018045650.tif 000019
【図１８】
2018045650.tif 000020
【図１９】
2018045650.tif 000021
【図２０】
2018045650.tif 000022
【図２１】
2018045650.tif 000023